(57)【要約】  有線接続または無線接続を介して第１の装置と通信する制御装置を用いて、第１の装置に表示されるビデオに関係するコンテンツを公表する方法を提供する。制御装置の側において、該方法は、第１の装置によりキャッシュされたビデオデータから、少なくとも一ピクチャまたはビデオクリップを生成する第１の装置に、キャプチャするコマンドを送るステップと、第１の装置から少なくとも一ピクチャまたはビデオクリップを受け取るステップと、ユーザが公表するコンテンツを選択するよう、少なくとも一ピクチャまたはビデオクリップを提示するステップと、公表するコンテンツを送り先に送るステップとを有する。図１
2014527775.tif 000002
【特許請求の範囲】
【請求項１】
ディスプレイを有し、有線接続または無線接続を介して第１の装置と通信する制御装置で、前記第１の装置に表示されるビデオに関係するコンテンツをキャプチャする方法であって、
前記第１の装置の側で、
前記ビデオのデータをキャッシュするステップと、
前記制御装置から、キャプチャするコマンドを受け取るステップと、
前記キャッシュされたデータから、少なくとも一ピクチャまたはビデオクリップを生成するステップと、
前記制御装置に、前記生成された少なくとも一ピクチャまたはビデオクリップを送るステップとを有する、方法。
【請求項２】
前記第１の装置は、前記ビデオのデータを、前記第１の装置によって表示された後に、ある期間にわたりキャッシュする、請求項１に記載の方法。
【請求項３】
前記第１の装置が、前記第１の装置の画面の一領域に、前記キャッシュされたデータから生成した少なくとも一ピクチャまたはビデオクリップを提示するステップをさらに有する、請求項１に記載の方法。
【請求項４】
前記少なくとも一ピクチャまたはビデオクリップに対して、チャンネルID、チャンネル名、番組名、及び番組カテゴリーのうちの少なくともひとつが生成される、請求項１に記載の方法。
【請求項５】
前記少なくとも一ピクチャまたはビデオクリップは、前記キャプチャコマンドに関連する時間値に基づいて生成される、請求項１に記載の方法。
【請求項６】
有線接続または無線接続を介して第１の装置と通信する制御装置を用いて、前記第１の装置に表示されるビデオに関係するコンテンツを公表する方法であって、
前記制御装置の側で、
前記第１の装置によりキャッシュされたビデオデータから、少なくとも一ピクチャまたはビデオクリップを生成する前記第１の装置に、キャプチャするコマンドを送るステップと、
前記第１の装置から前記少なくとも一ピクチャまたはビデオクリップを受け取るステップと、
前記ユーザが公表するコンテンツを選択するよう、前記少なくとも一ピクチャまたはビデオクリップを提示するステップと、
公表する前記コンテンツを送り先に送るステップとを有する、方法。
【請求項７】
前記送り先はウェブサイト、ＩＰアドレス、あるいは電話番号である、請求項６に記載の方法。
【請求項８】
前記ユーザから、公表するのに選択されたコンテンツと共に公表する少なくとも一コメントを受け取るステップをさらに有する、請求項６に記載の方法。
【請求項９】
前記制御装置が、前記第１の装置が前記キャッシュされたデータから前記少なくとも一ピクチャまたはビデオクリップをどのフォーマットで生成するか、前記第１の装置が生成するピクチャまたはビデオクリップの数、前記第１の装置が角ビデオクリップに対して生成する時間的長さのうちの少なくとも一入力を、前記ユーザから受け取る少なくとも一インタフェースを提示するステップをさらに有する、請求項６に記載の方法。
【請求項１０】
前記受け取った少なくとも一ピクチャまたはビデオクリップとともに、チャンネルID、チャンネル名、番組名、及び番組カテゴリーのうちの少なくともひとつを、前記第１の装置から受け取るステップをさらに有する、請求項６に記載の方法。
【請求項１１】
前記受けられた情報は、公表されるように選択されたコンテンツとともに公表される、請求項１０に記載の方法。
【請求項１２】
キャプチャコマンドは、前記一ピクチャまたはビデオクリップを生成するのを支援する時間値を含む、請求項６に記載の方法。
【請求項１３】
第１の装置に表示されるビデオに関係するコンテンツを公表する、有線接続または無線接続を介して第１の装置と通信する制御装置であって、
前記第１の装置によりキャッシュされたビデオデータから少なくとも一ピクチャまたはビデオクリップを生成する前記第１の装置に、キャプチャするコマンドを送信し、前記第１の装置から前記少なくとも一ピクチャまたはビデオクリップを受信するネットワークインタフェースと、
前記受信した少なくとも一ピクチャまたはビデオクリップを格納するデータ受信モジュールと、
前記ユーザが公表するコンテンツを選択するよう、前記少なくとも一ピクチャまたはビデオクリップを提示するユーザインタフェースとを有し、
ユーザの選択時、前記ネットワークインタフェースは公表するコンテンツを送り先に送信するようにさらに構成されている、制御装置。
【請求項１４】
前記送り先はウェブサイト、ＩＰアドレス、あるいは電話番号である、請求項１３に記載の制御装置。
【請求項１５】
前記ユーザインタフェースは、前記第１の装置が前記キャッシュされたデータから前記少なくとも一ピクチャまたはビデオクリップをどのフォーマットで生成するか、前記第１の装置が生成するピクチャまたはビデオクリップの数、前記第１の装置が角ビデオクリップに対して生成する時間的長さのうちの少なくとも一入力を、前記ユーザから受け取る少なくとも一インタフェースを提示するようにさらに構成されている、
請求項１３に記載の制御装置。
【発明の詳細な説明】
【技術分野】
【０００１】
本発明は、データ通信に関し、より具体的には、ビデオに関係するコンテンツをキャプチャする方法に関する。
【背景技術】
【０００２】
ソーシャルネットワーキングサービスは、コンテンツをテキスト、ピクチャ（または写真、画像）、ビデオクリップなどの形式で公表することにより、興味を他者と共有する人々の間の社会的なネットワークや関係を構築・反映することにフォーカスしたオンラインサービス、プラットフォーム、あるいはサイトである。ほとんどのソーシャルネットワークサービスはウェブ基盤であり、電子メール及びインスタントメッセージのようなインターネットの上で相互に作用する手段をユーザに提供する。ユーザは、ソーシャルネットワーキングサービスにアカウントを作った後、自分の写真プロフィールにアップロードでき、他者がブラウズできるよう写真を自分のアルバムにアップロードでき、他者が読めるようにブログエントリーをポストでき、同様の興味を有する他のユーザを検索でき、連絡先のリストを編集して共有できる。また、ユーザは、ソーシャルネットワーキングサービスに加えて、コンテンツを、オンラインフォーラムに、あるいはビデオ共有ウェブサイトに公表できる。ここに、オンラインフォーラム（あるいはインターネットフォーラム、メッセージボード）は、人々が掲示されたメッセージの形式で会話することができるオンラインのディスカッションウェブサイトである。最近、人々は、ウェブブラウジングのようなＩＰ接続サービスだけでなく、従来のテレビ視聴経験においても、パーソナライズされたサービスを楽しみたいと思っている。概して、公表されるコンテンツは、事前に周到に準備されており、テキスト、ピクチャ（あるいは写真、画像）、ビデオクリップなどの形式のコンテンツはそうである。ＴＶでサッカーの試合における完璧なゴールや面白いニュースなど、自分が見ているビデオの特定のシーンに対してその場の興味を持つことがある。しかし、例えば自分のブログにこのイベントのスナップショットを公表しようと決めても、その特定のシーンのスクリーンピクチャをキャプチャするには通常遅すぎる。スポーツゲームかテレビ番組の後に、ウェブ検索エンジンで関係するコンテンツを検索するかもしれないが、関係するコンテンツを見つけるのは難しすぎるかもしれない。しかも、その関係するコンテンツを見つけた後に、その特定のシーンを探すのは簡単ではない。従って、テレビを見ている時のその場の興味の場合、ほとんどの人々は、不便ゆえに、関係するスナップショットをキャプチャし公表する努力をしたがらない。テレビ番組を見ている時のその場の興味に対する共有経験及び相互作用をインプリメントするために、テレビ視聴とメッセージングプラットフォームを組み合わせたシステムが、特許文献１で提案され、コミュニティビューイング、レーティング、及びリコメンデーションのためのグループリスト間の通信を改善している。提案されたソリューションは、テレビ視聴の際のバディリスト（buddy  list）中の他のユーザとのビュアーの通信を改善し、オンラインゲームへの参加、音楽を聞くことに対しての受け取り、などのイベントを記述するだけである。しかし、テレビ内容の特定のシーンや短いクリップに関係するその場の興味を扱うためには使えない。
【先行技術文献】
【特許文献】
【０００３】
【特許文献１】WO２００６/０７４３０４
【発明の概要】
【０００４】
本発明の一態様によると、ディスプレイを有し、有線接続または無線接続を介して第１の装置と通信する制御装置で、前記第１の装置に表示されるビデオに関係するコンテンツをキャプチャする方法が提供される。該方法は、第１の装置の側で、前記ビデオのデータをキャッシュするステップと、前記制御装置から、キャプチャするコマンドを受け取るステップと、前記キャッシュされたデータから、少なくとも一ピクチャまたはビデオクリップを生成するステップと、前記制御装置に、前記生成された少なくとも一ピクチャまたはビデオクリップを送るステップとを有する。
【０００５】
本発明の他の一態様によると、有線接続または無線接続を介して第１の装置と通信する制御装置を用いて、前記第１の装置に表示されるビデオに関係するコンテンツを公表する方法が提供される。前記制御装置の側で、前記方法は、前記第１の装置によりキャッシュされたビデオデータから、少なくとも一ピクチャまたはビデオクリップを生成する前記第１の装置に、キャプチャするコマンドを送るステップと、前記第１の装置から前記少なくとも一ピクチャまたはビデオクリップを受け取るステップと、前記ユーザが公表するコンテンツを選択するよう、前記少なくとも一ピクチャまたはビデオクリップを提示するステップと、公表する前記コンテンツを送り先に送るステップとを有する。
【０００６】
本発明の他の一態様によると、第１の装置に表示されるビデオに関係するコンテンツを公表する、有線接続または無線接続を介して第１の装置と通信する制御装置を提供する。前記装置は、前記第１の装置によりキャッシュされたビデオデータから少なくとも一ピクチャまたはビデオクリップを生成する前記第１の装置に、キャプチャするコマンドを送信し、前記第１の装置から前記少なくとも一ピクチャまたはビデオクリップを受信するネットワークインタフェースと、前記受信した少なくとも一ピクチャまたはビデオクリップを格納するデータ受信モジュールと、前記ユーザが公表するコンテンツを選択するよう、前記少なくとも一ピクチャまたはビデオクリップを提示するユーザインタフェースとを有し、ユーザの選択時、前記ネットワークインタフェースは公表するコンテンツを送り先に送信するようにさらに構成されている。
【０００７】
本発明のより多くの態様と利点は、添付した図面を参照して以下の本発明の詳細な説明を読めば分かるだろう。言うまでもなく、以下の説明は、実施形態に関するものであり、本発明の範囲を限定するものではない。
【図面の簡単な説明】
【０００８】
【図１】本発明の一実施形態による、テレビビデオに関係するコンテンツを公表するシステムを示すブロック図である。
【図２】本発明の一実施形態を示すブロック図である。
【図３】本発明の実施形態による、制御装置の側においてテレビビデオに関係するコンテンツを公表する方法を示すフローチャートである。
【発明を実施するための形態】
【０００９】
本発明の一実施形態を図面を参照して詳細に説明する。以下の説明では、明確性と簡潔性のために、既知の機能や構成の詳細な説明を省略することもある。
【００１０】
本発明の一実施形態によると、ユーザはテレビを見ている間に自分の個人的なウェブスペースにテレビ番組の特定のシーンに対するその場の興味（instant  interest）に関連するコンテンツを公表できる。具体的には、興味があるコンテンツが現れた時、(テレビが接続された)セットトップボックスに加えて制御装置(例えばタブレット)が用いられて、ユーザのコマンドをキャプチャすると、そのコマンドに関連する時間的位置を含む時間（time  interval）に表示された対応コンテンツ（例えば、ピクチャ、オーディオ、ビデオクリップなど）を読み出すコマンドを、セットトップボックス（ＳＴＢ）に送信する。読み出された後に返されたコンテンツが制御装置の画面に表示され、ユーザは自分の個人的な好みに応じて、そのコンテンツのうちの一または複数を選択できる。また、選択されたコンテンツにテキストのコメントを追加することもできる。最後に、コンテンツ全体（すなわち、選択されたコンテンツとテキストのコメント）が、有線ネットワークインタフェース（例えば、イーサネット（登録商標）、ファイバー）を介して、または無線ネットワークインタフェース（例えば、WiFi、２G/３G、WiMAX、ＬＴＥ)を介して、制御装置から、自分の個人的なウェブスペース（例えば、ブログやマイクロブログ）に公表される。さらに、ＳＴＢからのコンテンツ読み出しプロセスの間に、チャンネルＩＤ、番組名、タイムスタンプなどの追加的な固定フォーマット情報が、コンテンツに自動的に挿入され、または付加され得る。追加的な固定的フォーマット情報は、コンテンツが公表される時に同時にサーバーにアップロードされ得る。サーチエンジンのようないくつかの第三者ウェブサービスは、より正確なターゲティング（targeting）と推奨のために、この情報を検出し得る。しかも、この情報は公表されたコンテンツの統計のために用いることができる。
【００１１】
図１は、本発明の一実施形態による、テレビビデオに関係するコンテンツを公表するシステムを示すブロック図である。本システムは、制御装置１０１、通常はテレビが接続されたＳＴＢ（またはビデオフレームをキャッシュする機能を有するテレビ）である第１の装置１０２、ソーシャルネットワークサービスサーバー１０３、及び統計エンジン１０４を有する。ＳＴＢ１０２は、地上波放送、衛星、光ファイバー、ケーブルあるいはＩＰ接続を介したテレビ放送者からの一または複数のビデオストリームを受信するために使われる。サーバー１０３は、ソーシャルネットワークサービスや、制御装置１０１がコンテンツを公表するために起動するアプリケーションプログラムインターフェイスを提供するために使われる。一般的に、ユーザのアカウント名、パスワード、及び（コメントとピクチャを含むがこれに限定されない）公表されるコンテンツが、公表するために、アプリケーションプログラムインタフェースにより必要とされる。制御装置１０１は、インターネットを介してサーバー１０３に接続し、有線または無線の接続を介してＳＴＢ１０２に接続する。制御装置１０１は、以下に説明する機能を実行できる限り、タッチスクリーンを有するタブレット、ＰＣ、ラップトップであり得る。制御装置１０１は、ユーザがＳＴＢ１０２から視聴したばかりのテレビビデオのスクリーンスナップショットであるピクチャを取得し、そのスナップショットピクチャをユーザに提示した後、ユーザに、そのスナップショットピクチャから一または複数のピクチャを選択して、自分が入力したコメントがあればそれとともに公表させるために用いられる。ここで、テレビビデオの画面スナップショットを入手するために、ＳＴＢ１０２が、ある時間（period  of  time）の間、写されたテレビビデオをキャッシュするように修正されねばならない。そうすれば、ＳＴＢ１０２は、制御装置１０１により送信されたピクチャ取得（capturing）コマンド（例えば、コマンドに関連する時間的位置と期待される読み出しコンテンツ形式とを含むもの）に応じて、キャッシュされたデータからいくつかのスナップショットピクチャをキャプチャできる。ここで、スナップショットピクチャをキャプチャする時、いくつかの固定的なフォーマット情報（例えば、チャンネルＩＤ、番組名、タイムスタンプ）が、スナップショットされるピクチャに挿入または付加され、スナップショットされたピクチャとともに制御装置に送信される。固定的なフォーマット情報の豊かさは、テレビコンテンツと共に配信される付随メタデータ情報に依存する。例えば、デジタルEPG(電子プログラムガイド)がテレビ番組伝達の間に利用可能であれば、EPGのサポート無しの番組と比べて、より多くの固定フォーマット情報を提供することができる。すべての固定フォーマット情報は放送事業者による対応する設定からコピーされる（すなわち、統一的情報源）ので、複数のユーザが異なる制御装置を用いて同じチャンネルの同じテレビ番組を要求した場合、固定フォーマット情報は同じである。そのため、統計を取ることが可能になる。その上、スナップショットピクチャの数が、ＳＴＢ１０２で事前設定でき、あるいは制御装置１０１から送信されるコマンド、例えばピクチャ取得（capturing）コマンドに含まれるパラメータで伝えられる。統計エンジン１０４は、定期的にサーバー１０３にアクセスし、固定フォーマット情報及び場合によってはユーザコメントに基づく情報集計または統計を行う。例えば、多くのユーザが同じテレビ番組の異なる時間的位置におけるスナップショットピクチャを公表してもよい。インデックス情報として固定フォーマット情報中のチャンネルID及び番組名を使うことによって、テレビ番組の統計を取ることができる。しかも、統計的結果が、多くの付加価値サービスによって用いられることができる。例えば、検索サービス、調査サービス(例えば何人の視聴者が特定のテレビ番組に興味があるか計算すること)、共有サービス(例えば、先週のおかしなニューススナップショット)を含むが、これらに限定されない。統計エンジン１０４は、サーバー１０３にリンクしたサービスプラットフォームであってもよい。
【００１２】
以下、実施形態によるユーザケースの一例を説明する。ユーザは、テレビを見ている間に面白いシーンを見つけた時、ＳＴＢ１０２にコンテンツをキャプチャするように要求するために、制御装置１０１のタッチスクリーン上のボタンをクリックする。そして、現在のテレビ番組のキャプチャされたコンテンツを読み出す、ボタンクリックに応じた要求コマンドが、ＳＴＢ１０２に送られる。ボタンがいつクリックされたかを示す時間位置、期待コンテンツ形式などを含むいくつかのパラメータが要求コマンドに担われる。時間位置に関して、もし番組再生ステータスをチェックすることができれば、現在の再生時間位置を用いる。もしそうでなければ、システム時間クロックを用いる。期待されるコンテンツ形式がピクチャであるとすると、ＳＴＢは、要求メッセージに担われた時間的位置により決まる時間（time  interval）中に、テレビ番組の一連のスナップショットピクチャを送り返す。その上、チャンネルID(「xxx」)及びプログラム名(「yyy」)のようないくつかの固定フォーマット情報が自動的にスナップショットピクチャに加えられる。ユーザは、スナップショットピクチャをブラウズして、そのうちの一または複数を嗜好に基づいて選択できる。ユーザは、制御装置１０１の画面上で公表（publishing）ボタンをクリックすると、編集ウィンドウがポップアップし、タイトル、コメントなどのいくつかのテキスト情報を入力できる。そして同時に、固定フォーマット情報が、インデックスを提供するデフォルトキーワードフィールドに転送される。さらに、編集ウィンドウにおいて、他のタイプのコンテンツ(例えばアニメーション、ピクチャなど)の挿入もできる。ユーザは、編集を終えると、自分のユーザアカウント（アカウント名とパスワード）によるログインプロセス後、このコンテンツを自分の個人的なウェブスペースに公表できる。最後に、個人的なウェブスペースにおいて、新しいアイテムがテキスト情報と選択されたスナップショットピクチャと追加される。ここで、固定フォーマット情報、すなわちテレビチャンネルID「xxx」とプログラム名「yyy」を示すかいなかは、サーバー１０３の構成、または公表前のユーザ選択に依存する。
【００１３】
図２は、実施形態によるＳＴＢ１０２と制御装置１０１を示すブロック図である。ＳＴＢ１０２では、入って来るテレビコンテンツは、衛星、ケーブル、光ファイバー、ＩＰＴＶ、ウェブテレビなどから、市場で利用可能な任意のタイプのテレビコンテンツであり得る。テレビストリームの復調後、メタデータ情報（例えば、ＥＰＧ情報）とオーディオ／ビデオコンテンツが分離される。復号後に、フレームシーケンス（例えば一例では１秒につき２４フレーム）がフレームバッファに格納され、テレビスクリーン上に提示するためにディスプレイ制御ユニットに送られる。ＳＴＢ１０２がネットワークインタフェースを通しての制御装置１０１から要求コマンドを受け取ると、その要求コマンドは解析され、対応するパラメータが得られる。時間位置パラメータが、与えられた時間（time  interval）にそのフレームのどの部分が必要かを示すフレーム抽出モデルに送られる。例えば、キャプチャコマンドの時間的位置が番組開始後０分３０秒であれば、余分な２秒がフレーム抽出のための境界として確定される。フレーム抽出モジュールは、フレームバッファ中の０分２８秒ないし３２秒に表示されたキーフレームを抽出する。多くの選択アルゴリズムは実際の製品で展開でき、一実施形態では、一定の時間（time  interval）中のフレームを選択する。１秒につき２４のフレームがあると仮定すると、８フレームごとに１フレームが選ばれると、全１５フレームが、０分２８秒ないし３２秒のタイムラインにおける代表フレームシリーズとしてキャプチャされる。その上、メタデータ管理モジュールからコピーされた固定フォーマット情報がスナップショットシリーズ生成モジュールにおいてこれらの選ばれたフレームに加えられる。下の表は、フレームシリーズまたは各フレームと関連する追加情報の一例（固定フォーマット情報）を示している。留意点として、追加情報の豊富さは、テレビ放送事業者から受信者にどのくらい多くのメタデータ情報が送信されるかに依存する。
【００１４】
【表１】
2014527775.tif 000003
制御装置１０１では、ネットワークインタフェースを介してスナップショットシリーズを受け取ると、データがデータ受信モジュールに格納される。そしてスナップショットシリーズはユーザのブラウジングのために、画面に表示される。ユーザは、制御装置１０１においてピクチャビューイング操作をできる。ピクチャビューイング操作には、次のピクチャ、前のピクチャ、ズームアウト、ズームイン、エリア選択、マージンのカット、回転、色変更、パターン変形などを含むが、これらに限定されない。ユーザは、一または複数のピクチャを選択し、それらを共有し、自分のパーソナルウェブスペースに公表すると決めることができる。公表前に、ユーザは編集者ウィンドウにコメントとコンテンツのタイトルを付加でき、公表プロセスはＨＴＴＰまたはＨＴＴＰＳによりネットワークインタフェースを呼び出し、対応するピクチャとテキスト情報とを専用のパーソナルウェブスペースに送信する。異なる一実施形態によると、いくつかのウェブスペースサービスプロバイダは、編集と公表の機能を統合する独立なクライアントアプリケーションを提供できるかもしれない。この場合、このプロセスは編集と公表をするクライアントアプリケーションを呼び出すことにより簡単になる。
【００１５】
図３は、本発明の他の一実施形態による、制御装置１０１の側においてテレビビデオに関係するコンテンツを公表する方法を示すフローチャートである。この例では、ＳＴＢ１０２は、テレビ上で対応するフレームが再生された後、所定時間、例えば１分間、テレビビデオの再生されたビデオフレームをキャッシュできるように構成または変更され、制御装置１０１からのキャプチャコマンドに応じて、キャッシュされたテレビビデオから、またはこの例ではより具体的にはキャッシュされたテレビビデオフレームから、所定数のピクチャ（例えば、１５ピクチャ）をキャプチャするように構成または変更されている。
【００１６】
このステップ３０１では、制御装置１０１は、キャプチャコマンドをトリガーするイベントを受け取る。例えば、制御装置１０１は、その画面上でユーザにキャプチャボタンを提供する。ユーザがテレビで何かおもしろいものを見た時にボタンを押すと、制御装置１０１は、ＳＴＢ１０２にキャッシュされたビデオフレームからピクチャをキャプチャすることを命じるキャプチャコマンドを送信する。
【００１７】
ステップ３０２において、制御装置１０１はＳＴＢ１０２にキャプチャコマンドを送る。ＳＴＢ１０２は、キャプチャコマンドを受け取ると、キャッシュされたビデオフレームから１５ピクチャをランダムにキャプチャする。
【００１８】
ステップ３０３において、制御装置１０１は、キャプチャされたピクチャを受け取って、そのピクチャをユーザに提示する。ピクチャは、制御装置１０１の画面上に、様々な表示用パターンで提示される。例えば、画面の上または下に一列に配置され、ブラウズのためにスクロールできる。または、互いにプロポーショナルスペーシングを有する四角いブロックとして画面上に配置される。当業者には言うまでもなく、ピクチャのブラウズを容易にするため、他のパターンを用いることもできる。
【００１９】
ステップ３０４において、制御装置１０１は、選択されたピクチャを、ユーザのコメントがあればそれとともに、サーバー１０３に公表する。具体的に、ユーザが一または複数のピクチャを選択すると、制御装置１０１は、ユーザが自分のコメントを入力するテキストボックスを提供する。ユーザが制御装置１０１に選択されたピクチャを自分のコメントとともに公表するように命令した後、制御装置１０１は、サーバー１０３により提供されるアプリケーションプログラムインタフェースを、予め記憶されたまたは予め設定されたアカウント名、パスワード、選択されたピクチャ、及びもしあればコメントで、呼び出す。
【００２０】
一変形例によると、ステップ３０３において、制御装置１０１は、表１に示したように、キャプチャされたピクチャと共に送信された固定フォーマット情報またはそれ以上の情報を受け取る。留意点として、当業者は、本発明を実施する際、他の情報を提案することもできる。情報またはその情報の一部を表示すべきかどうかは、ユーザの選択または制御装置１０１の設定に依存する。その上、ステップ３０４で、その情報は選ばれたピクチャとともに公表されてもよい。
【００２１】
一変形例では、ＳＴＢ１０２は、キャッシュされたビデオフレームからピクチャをランダムにキャプチャするのではなく、時間的な開始点（例えば、ＳＴＢ１０２がキャプチャコマンドを受け取る４０秒前）から所定時間（例えば、２秒）で定期的にピクチャをキャプチャする。ここで、所定の時間（time  interval）及び/または時間的な開始位置は、ＳＴＢ１０２で事前に設定されていてもよいし、ユーザにより指定され、キャプチャコマンドとともに、または別のコマンドで送信されてもよい。後者の、ユーザにより指定される場合、制御装置１０１は、ユーザが値を指定する入力インタフェースを提供する必要がある。
【００２２】
他の一変形例によると、時間的な開始位置は、所定時間（例えば、４０秒）中の、制御装置１０１がキャプチャコマンドをトリガーするイベントを受け取った時より前の時点である。この場合には、制御装置１０１は、イベントを受け取った直後に、現在時刻を記録する必要があり、記録された時刻をＳＴＢ１０２に送る。
【００２３】
他の一変形例によると、制御装置１０１は、キャプチャされたビデオフレームからＳＴＢ１０２にキャプチャさせたいピクチャの数をユーザが選択または入力する入力インタフェースを提供する。そして選択されたまたは入力された数は、キャプチャコマンドとともに、または別のコマンドとともに、ＳＴＢ１０２に送られる。
【００２４】
他の一変形例によると、ＳＴＢ１０２は、キャプチャコマンドに応じて、ピクチャの代わりに一または複数のビデオクリップを返す。上記の例と同様に、ビデオクリップの長さは、ＳＴＢ１０２で予め設定されても、あるいは制御装置１０１の入力インタフェースを介してユーザにより指定されてもよい。１つのみのビデオクリップをキャプチャする場合、ユーザは開始時間を指定できる。
【００２５】
他の一変形例によると、制御装置１０１は、ピクチャとビデオクリップの間でＳＴＢ１０２によりコンテンツがキャプチャされ返される形式をユーザが、選択できる入力インタフェースを提供する。選択された形式は、キャプチャコマンドとともに、または別のコマンドで、ＳＴＢ１０２に送られる。
【００２６】
他の一変形例によると、従来のケーブルテレビに加えて、本発明は、例えばVoD(ビデオ・オン・デマンド)などのインターネットビデオや、ＳＴＢ１０２がＰＣ、インターネットテレビなどにより置換されるインターネットテレビで利用することができる。
【００２７】
第３の実施形態によると、制御装置１０１の昨日はＳＴＢ１０２に統合することができる。この場合、ユーザ入力、例えばピクチャまたはビデオクリップのキャプチャをトリガーすること、ピクチャの選択、自分のコメントの入力、ピクチャまたはビデオクリップの公表などは、リモートその他の周辺装置、例えばキーボードにより行われる。その他、表示する画面はひとつだけなので、キャプチャ機能が起動されると、画面はキャプチャ機能によりそれが終了するまで、排他的に占有される。これはテレビビデオが表示されないことを意味する。一変形例では、キャプチャ機能の起動時、画面は２つの領域に分割され、一方がテレビビデオの表示用であり、他方がキャプチャ機能の表示用である。
一変形例によると、選択されたピクチャまたはビデオクリップは、ＩＰアドレスまたは電話番号に送られる。ここで、ＩＰアドレスと電話番号は装置、例えばＰＣや携帯電話を特定するものである。
【図１】
2014527775.tif 000004
【図２】
2014527775.tif 000005
【図３】
2014527775.tif 000006
【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
有線接続または無線接続を介して第１の装置と通信する制御装置で、前記第１の装置に表示されるビデオに関係するコンテンツをキャプチャする方法であって、
前記第１の装置の側で、
前記第１の装置により表示された後ある時間にわたり前記ビデオのデータをキャッシュするステップと、
前記制御装置から、キャプチャコマンドを受け取るステップと、
前記キャッシュされたデータから、少なくとも一ピクチャまたはビデオクリップを生成するステップと、
前記制御装置に、前記生成された少なくとも一ピクチャまたはビデオクリップを送るステップとを有する、方法。
【請求項２】
前記第１の装置が、前記第１の装置の画面の一領域に、前記キャッシュされたデータから生成した少なくとも一ピクチャまたはビデオクリップを提示するステップをさらに有する、請求項１に記載の方法。
【請求項３】
前記少なくとも一ピクチャまたはビデオクリップに対して、チャンネルID、チャンネル名、番組名、及び番組カテゴリーのうちの少なくともひとつが生成される、請求項１に記載の方法。
【請求項４】
前記少なくとも一ピクチャまたはビデオクリップは、前記キャプチャコマンドに関連する時間値に基づいて生成される、請求項１に記載の方法。
【請求項５】
有線接続または無線接続を介して第１の装置と通信する制御装置を用いて、前記第１の装置に表示されるビデオに関係するコンテンツを公表する方法であって、
前記制御装置の側で、
前記第１の装置にキャッシュされたビデオデータから、少なくとも一ピクチャまたはビデオクリップを生成する前記第１の装置に、キャプチャコマンドを送るステップであって、前記ビデオデータは前記第１の装置により表示された後、ある時間にわたり前記第１の装置にキャッシュされるステップと、
前記第１の装置から前記少なくとも一ピクチャまたはビデオクリップを受け取るステップと、
前記少なくとも一ピクチャまたはビデオクリップを提示するステップと、
前記少なくとも一ピクチャまたはビデオクリップの間の選択を受け取るステップと、
公表する前記選択されたコンテンツを送り先に送るステップとを有する、方法。
【請求項６】
前記送り先はウェブサイト、ＩＰアドレス、あるいは電話番号である、請求項５に記載の方法。
【請求項７】
前記ユーザから、公表するのに選択されたコンテンツと共に公表する少なくとも一コメントを受け取るステップをさらに有する、請求項５に記載の方法。
【請求項８】
前記制御装置が、前記第１の装置が前記キャッシュされたデータから前記少なくとも一ピクチャまたはビデオクリップをどのフォーマットで生成するか、前記第１の装置が生成するピクチャまたはビデオクリップの数、前記第１の装置が角ビデオクリップに対して生成する時間的長さのうちの少なくとも一入力を、前記ユーザから受け取る少なくとも一インタフェースを提示するステップをさらに有する、請求項５に記載の方法。
【請求項９】
前記受け取った少なくとも一ピクチャまたはビデオクリップとともに、チャンネルID、チャンネル名、番組名、及び番組カテゴリーのうちの少なくともひとつを、前記第１の装置から受け取るステップをさらに有する、請求項５に記載の方法。
【請求項１０】
前記受けられた情報は、公表されるように選択されたコンテンツとともに公表される、
請求項９に記載の方法。
【請求項１１】
前記キャプチャコマンドは、前記一ピクチャまたはビデオクリップを生成するのを支援する時間値を含む、請求項５に記載の方法。
【請求項１２】
第１の装置に表示されるビデオに関係するコンテンツを公表する、有線接続または無線接続を介して第１の装置と通信する制御装置であって、
前記第１の装置によりキャッシュされたビデオデータから少なくとも一ピクチャまたはビデオクリップを生成する前記第１の装置に、キャプチャコマンドを送信し、前記第１の装置から前記少なくとも一ピクチャまたはビデオクリップを受信する、前記ビデオデータは前記第１の装置により表示された後ある時間にわたり前記第１の装置にキャッシュされるネットワークインタフェースと、
前記受信した少なくとも一ピクチャまたはビデオクリップを格納するデータ受信モジュールと、
前記少なくとも一ピクチャまたはビデオクリップを提示するユーザインタフェースとを有し、
前記少なくとも一ピクチャまたはビデオクリップの間のユーザの選択時、前記ネットワークインタフェースは公表するコンテンツを送り先に送信するようにさらに構成されている、制御装置。
【請求項１３】
前記ユーザインタフェースは、前記第１の装置が前記キャッシュされたデータから前記少なくとも一ピクチャまたはビデオクリップをどのフォーマットで生成するか、前記第１の装置が生成するピクチャまたはビデオクリップの数、前記第１の装置が角ビデオクリップに対して生成する時間的長さのうちの少なくとも一入力を、前記ユーザから受け取る少なくとも一インタフェースを提示するようにさらに構成されている、
請求項１２に記載の制御装置。
【請求項１４】
表示されているビデオに関係するコンテンツをキャプチャする装置であって、
前記ビデオのデータを、表示された後ある時間にわたりキャッシュするバッファと、
データを送受信するネットワークインタフェースと、
前記ネットワークを介して制御装置から受け取ったキャプチャコマンドに応じて、前記キャッシュされたデータから少なくとも一ピクチャまたはビデオクリップを生成し、前記生成された少なくとも一ピクチャまたはビデオクリップを前記ネットワークインタフェースを介して前記制御装置に送る生成モジュールとを有する装置。
【請求項１５】
プロセッサにより実行された時、前記プロセッサに、請求項１ないし１１いずれか一項に記載の方法のステップを実行させるコンピュータプログラム。
【国際調査報告】
2014527775.tif 000007
2014527775.tif 000008